(57)【特許請求の範囲】
【請求項１】
横に長い屋根板を前後左右に複数枚並べて敷設すると共に、後方の屋根板の前端部を前方の屋根板の後端部に係合し、最上段の屋根板の表面間に棟部材を架設した屋根において、前後方向の幅が異なる２種類の屋根板を組み合わせて、屋根板の長さの合計を屋根下地の勾配方向の長さに近似させると共に、最上段の屋根板と棟部材との重合幅を変えることによって屋根板の長さの合計と屋根下地の長さとの誤差を吸収することを特徴とする屋根葺きにおける長さ調節方法。
【発明の詳細な説明】
【０００１】
【発明の属する技術分野】
本発明は屋根葺きにおける長さ調節方法に関する。
【０００２】
【従来の技術】
横に長い屋根板を複数枚並設し、前後に隣接する屋根板の前後端部を互いに係合した段葺き屋根が従来公知である。
このような従来の段葺き屋根では勾配方向の寸法が同じである１種類の屋根板を使用して軒から棟に向かって葺き上げるので、屋根下地の勾配方向の長さが変化すると、棟頂部に葺き納めることができず、最上段の屋根板を切断したり、屋根板の後端に別部材を溶接、カシメ等によって取付けたり、規格外の寸法の屋根板あるいは棟部材を特別に製造しなければならない。
このため、製造コストが高くなったり、現場加工が増えて施工性が悪くなったり、最上段の屋根板の露出寸法だけが他の屋根板と明らかに異なるので体裁が悪いなどの不都合があり、一般市場における普及を阻害する結果となっていた。
【０００３】
【発明が解決しようとする課題】
本発明は、２種類の屋根板を使用するだけで、どの様な長さの屋根面にも対応することができ、施工が簡単な屋根葺きにおける長さ調節方法を提供することを目的とする。
【０００４】
【課題を解決するための手段】
本発明の屋根葺きにおける長さ調節方法は、横に長い屋根板を前後左右に複数枚並べて敷設すると共に、後方の屋根板の前端部を前方の屋根板の後端部に係合し、最上段の屋根板の表面間に棟部材を架設した屋根において、前後方向の幅が異なる２種類の屋根板を組み合わせて、屋根板の長さの合計を屋根下地の勾配方向の長さに近似させると共に、最上段の屋根板と棟部材との重合幅を変えることによって屋根板の長さの合計と屋根下地の長さとの誤差を吸収する。
【０００５】
【発明の実施の形態】
図２は、本発明の屋根の一実施形態を示す。
【０００６】
切妻屋根の屋根下地上に、横に長い屋根板１が前後左右に多数枚並設されて固定され、前後方向（勾配方向）に隣接する屋根板１の前後端部が互いに係合されると共に、左右に隣接する屋根板１の側端部上面間にキャップ２が架設されて各屋根板１同志が連結されている。
【０００７】
また、屋根の最も側端部に位置する屋根板１の外側端は妻面に沿って配設されたケラバ部材３の内側部に係合され、屋根棟に沿って棟部材４が配設される。
なお、図を簡略化するために、屋根板は横２列に敷設されているが、屋根幅及び屋根板１の長さによって３列以上並設する場合もある。
【０００８】
屋根板１はアルミニウム合金等の金属又は合成樹脂を素材とした押し出し成型品よりなり、図１及び図５に示すように、その前端部が表面凸に下方に湾曲され、その裏面下端寄りに水切突条５が形成され、前端部寄りの下面に下方に垂下されると共にその先端から後方に屈曲される断面Ｌ字状の捨板支持片６が形成される。
また、捨板支持片６のやや後方に、下方に垂下されると共にその先端から前方に屈曲される断面逆Ｌ字状の係合部７が形成される。
【０００９】
屋根板１の後端は下方に屈曲され、その下端に前後方向に延びる固定片８が設けられ、固定片８の前部は捨板支持片６と協働する後部捨板支持片８´とされている。また、固定片８の後部に長手方向に適宜間隔をおいて複数の固定孔９が穿設されると共に、固定片８の側端縁に横に長い固定切欠９´が形成される。これらの固定孔９の内、中央のものは円孔であり、その両側のものは横に長い長孔である。
【００１０】
さらに、屋根板１の後端寄りに表面前方に折り返される断面略円弧状の凹条連結部１０が形成され、凹条連結部１０の上面に前後方向に張り出す係止片１１が長手方向に沿って設けられる。この係止片１１の表面には、長手方向に沿い前後方向に間隔をあけた複数の防水突条１２が形成されている。
なお、図３に示すように、屋根板１の内、最も軒寄りに配置される軒部屋根板１ａは、裏面下端寄りの水切突条５に代えて、より長く棟方向に張り出す軒先部材係止フィン１３を有する。軒部屋根板１ａの他の部分の構造はその後方に敷設される屋根板１と同様なので、説明を省略する。
【００１１】
屋根板１は次のように前後方向に連結される。
まず、図３に示すように、屋根下地の軒寄り端部に屋根板１の取り付け位置の基準部材となる軒先部材１４を装着する。
【００１２】
軒先部材１４は、図１及び図６に示すように、屋根下地の軒端面を閉塞する化粧面１５と、化粧面１５の棟側面の中間部に長さ方向に沿って形成される取り付け片１６と、化粧面１５の上端から前後に張り出されるフランジ１７とを備える。
また、化粧面１５及び取り付け片１６に長手方向にそれぞれ適宜間隔を開けて取り付け孔３９が穿設される。これら取り付け孔３９の内、中央のものは円孔であり、その両側のものは横に長い長孔である。そして、化粧面１５が屋根下地の軒端面に、取り付け片１６が屋根下地の上面にそれぞれ当接され、取り付け孔３９に釘、ねじ釘等の固定金具１８が挿通されて、軒先部材１４が固定される。
【００１３】
次に、図７の（イ）に示すように、軒部屋根板１ａを軒先部材１４の上方を覆うように配置し、図７の（ロ）に示すように軒部屋根板１ａを棟方向に移動させて軒先部材係止フィン１３を軒先部材１４のフランジ１７の前端裏面に係合し、さらに、軒部屋根板１ａを押し下げた後、図７の（ハ）に示すように軒方向に移動させて係合部７をフランジ１７の後端裏面に係合する。そして、図７の（ニ）に示すように、固定孔９を通して釘、ねじ釘等の固定金具１８ａを屋根下地に取付けることにより、軒部屋根板１ａが屋根下地に固定される。
【００１４】
このように、軒先部材１４は屋根下地の軒端面及び上面の２か所に固定されると共に、軒部屋根板１ａが軒先部材係止フィン１３及び係合部７の２か所で軒先部材１４に係止され、軒部屋根板１ａの固定片８が屋根下地に固定されているので、風圧に対する軒部分の強度が非常に大きくなり、このため強風に吹き上げられて屋根が破損する心配がなく、耐風圧構造が構成される。
【００１５】
図８に示すように、並列する軒部屋根板１ａの側端部は、金属特有の熱膨張による歪みと軋み音を防止するために、屋根板固定具４０を用いて間隔をあけて固定される。
屋根板固定具４０は、図１０に示すように、左右に固定金具取付け孔４１´が形成された取り付け平板４１と、その上面中央部に形成される円形突起部４２と、該円形突起部４２から立設されるボルト４３と、ボルト４３が挿通される座金４４と、座金４４の上面においてボルト４３に螺合されるナット４５とを備える。
【００１６】
そして、固定金具取付け孔４１´に釘、ねじ釘等の固定金具１８ｂを挿通することにより、取り付け平板４１を左右に隣接する軒部屋根板１ａの固定片８間の下方において屋根下地に固定し、円形突起部４２を両側の軒部屋根板１ａの固定切欠９´に臨ませ、固定片８の上面に座金４４を被せてこれにボルト４３を挿通し、さらに座金４４の上方においてボルト４３にナット４５を螺合する。
この時、座金４４と取り付け平板４１の間隔を固定片８の厚みより僅かに広くすると共に、固定切欠９´の奥端と円形突起部４２の側面との間に隙間を設けて、軒部屋根板１ａの熱膨脹による伸縮が阻害されないようにする。また、ボルト４３で固定された座金４４が軒部屋根板１ａの固定片８の側端部を上から押さえているので、風圧に対する抵抗力が増す。
【００１７】
図９の（イ）乃至（ハ）は、軒部屋根板１ａが長手方向に伸縮して、隣接する軒部屋根板１ａ間の間隙幅が変わった状態を示す。
図９の（イ）は平常の間隔幅を示す。
図９の（ロ）は寒冷時の間隔幅を示す。
図９の（ハ）は高温時の間隔幅を示す。
【００１８】
次いで、軒部屋根板１ａの後方に隣接する屋根板１の係合部７を軒部屋根板１ａの係止片１１の後端裏面に係止し、軒部屋根板１ａと同様にして屋根板１を固定孔９及び固定切欠９´を介して固定する。この結果、図１４に示すように、軒部屋根板１ａの係止片１１の上に後方の屋根板１の捨板支持片６が載置され、係止片１１と捨板支持片６との接触面に、表面張力と毛細管現象による雨水の侵入を遮断する間隙が防水突条１２によって形成される。
これを順次繰り返して軒から棟に向かって屋根板１を葺き上げる。
次に、屋根板１の横への接続を説明する。なお、軒部屋根板１ａも他の屋根板１と同様に横へ接続されるので、その説明は省略する。
屋根板１を横に連結するキャップ２は、図１２及び図１３に示すように、適宜幅の帯板１９より成り、その後端を表面側前方に折り返して屋根板１の凹条連結部１０より一回り小径の断面略円弧状の回動湾曲部２０が形成される。
また、キャップ２の両側縁及び前端縁は裏面側に屈曲され、前端部に屋根板１の前端部表面に沿う湾曲部７７が形成され、その裏面下端に、屋根板１の前端部下縁にスナップ係合される係止突条２１が形成される。
【００１９】
さらに、帯板１９と湾曲部７７との境界部裏面に屈曲溝７８が形成され、これにより、湾曲部７７の弾力性が高まり、屈曲して取付けしやすくなる。
また、キャップ２の裏面に、帯板１９とほぼ同じ平面形状を有する断面波形の金属製の防水板２２が重合される。
【００２０】
キャップ２は次のように取付けられる。
図１３に示すように、キャップ２の後端の回動湾曲部２０を屋根板１の隣接する側端部において凹条連結部１０に嵌合し、キャップ２の前端部を裏面側に押圧する。すると、回動湾曲部２０及び凹条連結部１０が円弧状に形成されているので、キャップ２はスムーズに回動し、キャップ２の前端部が押し広げられながら屋根板１の湾曲する前端部表面に沿って降下し、最終的にキャップ２の係止突条２１が屋根板１の前端部下縁にスナップ係合される。そして、図１に示すように、隣接する屋根板１の側端部間の間隙がキャップ２で被覆される。
【００２１】
なお、図１１に示すように、キャップ２と屋根板１との間に防水板２２が密着して取付けられ、防水板２２の溝によってラビリンスを構成して水の表面張力防止空間２２´が形成され、水の表面張力に基づく毛細管現象による外部からの侵入水が完璧に遮蔽される。
【００２２】
また、左右に隣接する屋根板１の接続部側端部間の裏面に捨板４６を装着してさらに防水性を高める。
捨板４６は金属板を屈曲して形成され、図１６に示すように、勾配方向に沿う多数の排水溝２３を有し、排水溝２３の間に上端が内側に屈曲する水返し壁２４が形成される。
【００２３】
そして、上記排水溝２３によって捨板４６上に落下した雨水を軒側に排水すると共に、水返し壁２４が中心部から外方への水の流れを遮断するようになっており、図１１に示すように、キャップ２と捨板４６とで接続部は完璧な雨仕舞を構成している。
【００２４】
また、中央の排水溝２３´は他の排水溝２３より幅広く形成され、屋根板１を取付ける際の位置決め用溝となっていると共に、この排水溝２３´を目安にして屋根板１を取付けることにより、隣接する屋根板１間に間隙が形成され、屋根板１の熱膨張による歪み及び軋み音の発生を防止することができる。
更に、捨板４６の棟寄り端縁には防水壁２５が起立されている。
【００２５】
図１４及び図１５に示す如く、捨板４６は、屋根板１と一体化されるように、その片側部分が先に敷設された一方の屋根板１の捨板支持片６と後部捨板支持片８´との間に挿入されて、前記一方の屋根板１の側部裏面に重合される。また、図２５に示すように、捨板４６の他側部分に他方の屋根板１が上から被せられる。
【００２６】
この為に、屋根板１の捨板４６を装着する時に邪魔になる部分が予め切除される。すなわち、一方の屋根板１の係合部７の側端部は、図１７に示すように、捨板４６の挿入幅に相当する幅だけ予め切り欠かれる。また、図１８に示すように、他方の屋根板１は、その捨板支持片６、係合部７及び後部捨板支持片８´の側端部が、捨板４６の重合幅に相当する幅だけ予め切り欠かれる。この時、固定片８の側端部の固定切欠９´が同時に切除される。
なお、図１９に示すように、屋根板１の係合部７、捨板支持片６及び後部捨板支持片８´の基端部に沿って切り欠きを容易にする切り欠き溝８３が形成されている。図１９の斜線部分は切除する部分を示す。
【００２７】
上記のように、捨板支持片６、係合部７及び後部捨板支持片８´の側端部を切切り欠く際に、図２０に示すような接続部切欠用のガイドゲージ７３を用いると、正確なサイズで簡単迅速に切欠くことができて失敗が無く便利である。
ガイドゲージ７３は、屋根板１の勾配方向の長さに相当する長さと均一の幅を有する平板より成り、その後端が下方に屈曲されて位置決め垂下片４８が形成されている。
【００２８】
また、ガイドゲージ７３の一側縁の前端部において係合部７と合致する位置に、捨板４６の挿入幅と同幅の第１切除部２６が形成されると共に、後端部に固定切欠用切除部４７が形成される。
さらに、ガイドゲージ７３の他側縁の前端部において捨板支持片６から係合部７に亘る位置に、防水板２２の重合幅と同幅の第２切除部２７が形成されると共に、後端部において後部捨板支持片８´と合致する位置に、捨板４６の重合幅と同幅の第３切除部２８が形成され、第３切除部２８の後方に固定切欠用切除部４７が一側縁の固定切欠用切除部４７と対向するように形成される。
【００２９】
ガイドゲージ７３は次のように使用される。
まず、図２１に示すように、先に敷設される屋根板１の側端部裏面にガイドゲージ７３の一側部を、その側縁と屋根板１の側縁とを揃えて重ね、位置決め垂下片４８を屋根板１の固定片８の後端に引っ掛けて位置決めする。そして、屋根板１の係合部７が第１切除部２６の内側に露出する部分を切除する。また、切欠用切除部４７の内側に露出する部分を切除して固定切欠９´を形成する。
【００３０】
さらに、図２２に示すように、後から敷設される屋根板１の側端部裏面にガイドゲージ７３の他側部を、その側縁と屋根板１の側縁とを揃えて重ね、同じく位置決め垂下片４８を利用して位置決めする。そして、捨板支持片６及び係合部７の第２切除部２７の内側に露出する部分並びに後部捨板支持片８´の第３切除部２８の内側に露出する部分を切除する。また、固定切欠用切除部４７の内側に露出する部分を切除して固定切欠９´を形成する。
【００３１】
左右に隣接する屋根板１は次のように接続される。
先に説明したように一方の屋根板１を屋根下地に固定し、図１５及び図２３に示すように、この屋根板１の一側部裏面において捨板支持片６と後部捨板支持片８´との間に、捨板４６の片側半分を挿入する。この時、挿入幅は捨板４６の中央の排水溝２３´を目安としてその外側の部分を挿入する。
【００３２】
次に、図２４に示すように、捨板４６の片側半分が差し込まれた一方の屋根板１の側方からキャップ２を近付けて、キャップ２の回動湾曲部２０を屋根板１の凹条連結部１０に嵌合し、図２５に示すように、該凹条連結部１０に沿ってキャップ２を内側に摺動させておく。
次いで、図２６に示すように、捨板４６の他側半分の排水溝２３´より外側の部分に他方の屋根板１の側部を上方から重合し、該他方の屋根板１を屋根下地上に敷設する。
【００３３】
その後、キャップ２を屋根板１の凹条連結部１０に沿って外側方に摺動させ、隣接する屋根板１の接続部上方を覆い、先に説明したように、キャップ２の前端部を押圧して係止突条２１を屋根板１の前端部下縁にスナップ係合し、図１に示すように屋根を葺き上げる。
この結果、図１１に示すように、キャップ２と捨板４６が重合されてその間に屋根板１の接続端部が挟まれ、キャップ２及びこれに装着される防水板２２と捨板４６とは、左右に隣接する屋根板１の接続部を軒部から棟部に亘って三重に被覆して完璧な雨仕舞が達成される。
【００３４】
この接続構造によれば、図１１に示すように、屋根板１とこれに並列する屋根板１の間に捨板４６の排水溝２３´が現われ、屋根板１間に排水溝２３´の幅に相当する間隔が形成され、この間隙が屋根板１の温度変化による伸縮を吸収して熱膨脹による歪みと軋み音の発生を防止する。
又、並列して接続固定されている屋根板１の接続部裏面には捨板４６が装着され、万一捨板４６上に漏洩水が落下しても、排水溝２３，２３´がこれを軒方向へ排水し、防水壁２５が棟方向への逆流を防ぎ、水返し壁２４が側方への水の流入を防ぐ。
【００３５】
更に、屋根板１の接続部表面に装着されたキャップ２の防水板２２は屋根板１の上面に密着して複数の水の表面張力防止空間２２´を形成し、これらの表面張力防止空間２２´によって毛細管現象による雨水の侵入が防止される。
また、キャップ２と捨板４６は一切の止め金具を使用せず組立てられているので、互いに且つ屋根板１に対して摺動可能であり、地震による位置ずれをも吸収することができて耐震性に富む。
【００３６】
なお、キャップ２は、捨板４６を一方の屋根板１の側端部下面に差し込む前に、一方の屋根板１の上面に摺動可能に装着しておいても良い。また、キャップ２の回動湾曲部２０及び屋根板１の凹条連結部１０は弾力性に富む形状をしているので、隣接する屋根板１を捨板４６を介して接続した後、接続部の上方においてキャップ２の回動湾曲部２０を屋根板１の凹条連結部１０に係合し、さらにキャップ２の前端部を押圧して取り付けることができる。
このようにして、図３及び図４に示すように、キャップ２と捨板４６は軒部から棟部まで重複して重合され、完璧な雨仕舞を構成している。
【００３７】
図２、図４及び図２７に示すように、両側屋根面の最も上段に敷設された屋根板１間に棟部材４が架設される。棟部材４は長手方向に複数に分割されると共に、棟連結部材５７を介して連結されている。また、棟部材４の両端には棟端部部材５８が装着されている。
【００３８】
図２８に示すように、棟部材４は上方凸に湾曲する冠部５９を有し、その下面両側から側壁６０が垂下されると共に、側壁６０の外方において冠部５９の両端に係合屈曲部６１が下方に向いて形成されている。また、側壁６０の下端部内面から内方に水平に張り出し、その先端を下方に屈曲して支脚６３が形成される。さらに、冠部５９の下面の幅方向中央部にボルト固定溝６４が長手方向に沿って設けられる。
【００３９】
この棟部材４は、図２７に示すように、左右屋根面の最上段に配置される屋根板１，１間に架設され、その支脚６３が屋根板１の上面に載置される。また、屋根下地に取付けられた固定ボルト６８の上端がボルト固定溝６４内に挿入されると共に、ボルト固定溝６４内に収納された抜け止め座金７０を介してナット６９が螺合されて、棟部材４が屋根下地に固定される。
【００４０】
棟連結部材５７は、図２９に示すように、棟部材４の外面に沿う形状を成しており、その両側下端に棟部材４の側壁６０下端に摺動可能に係合する棟部材係合部６５が形成され、該棟部材係合部６５の上方に棟部材４の係合屈曲部６１に摺動可能に係合する摺動係止部６６が形成されている。
また、棟連結部材５７の天部裏面に断面波状の下面を有するパッキング６７が重合され、このパッキング６７が棟部材４の冠部５９との間に介在されるようになっている。このため、棟連結部材５７と棟部材４との隙間から雨水が侵入することがない。
【００４１】
棟部材４を長手方向に連結するには、図３０に示すように、先に配置した棟部材４の端部から棟連結部材５７を嵌め込み、棟部材４の側壁６０下端及び係合屈曲部６１に棟連結部材５７の棟部材係合部６５及び摺動係止部６６を係止して、棟部材４の外面に棟連結部材５７を被せておく。
次に、先に配置した棟部材４に隣接してその延長上に他の棟部材４を配置した後、棟連結部材５７を矢印方向に摺動して隣接する２本の棟部材４，４の接続端部を被覆し、棟部材４に対して雨仕舞構造を構成している。
【００４２】
ところで、屋根下地の勾配方向の長さは、家屋の大きさ、軒の張り出し長さ、屋根の勾配等によって変化し、屋根板１の勾配方向の長さの合計と屋根下地の長さとの間に誤差が生ずる。このような場合は、最上段の屋根板１とその表面に架設される棟部材４との重合幅を変えることによって、上記誤差を吸収することができる。
すなわち、屋根板１の長さの合計が屋根下地の長さに対して短い場合は、図３１の（イ）に示すように、棟部材４の外側下部に形成された支脚６３に屋根板１の係止片１１の前端が近づき、この位置で固定片８が固定されてマイナス調節取付となる。
【００４３】
また、屋根板１の長さの合計が屋根下地の長さに対して基準通りであり、棟部分における調節が不要の場合は、図３１の（ロ）に示すように、棟部材４の下方において、その片側の中央位置に屋根板１の固定片８が位置して固定され、標準取付となる。
屋根板１の長さの合計が屋根下地の長さに対して長い場合は、図３１の（ハ）に示すように、屋根板１の固定片８が棟部材４の下方において屋根頂部に接近し、この位置で固定されてプラス調節取付となる。
【００４４】
しかし、屋根板１を軒部から棟部に向かって葺き上げる時、屋根板１の合計長さと屋根下地の長さとの誤差があまり大きく、棟部材４の内部における調節可能幅を越えると、屋根材１を棟部材４の下方に固定することができない。すなわち、屋根板１の合計長さが長くて棟部材４の下方に納まりきれず、かといって、屋根板１の枚数を１枚少なくすると、屋根板１の後端が棟部材４の下方に達しない場合がある。
この時、従来の段葺き屋根では、屋根板１を棟部材４の下方に葺き納めるために、幅の異なる規格外の屋根板を最上段用の屋根板として製造したり、最上段の屋根板１を切断したり、別部材を溶接等で取付けなければならないので、経済性、施工性、生産性、美観性等の観点において非常に不合理である。
【００４５】
ところで、上記のような誤差がある場合は、屋根板１の合計長さに対して屋根板１の勾配方向の長さの半分の長さをプラス方向あるいはマイナス方向に調整すれば、最上段の屋根板１を必ず棟部材４の下方に葺き納めることができるはずである。
つまり、広幅の屋根板１（以下、広幅材という）と、これよりやや狭幅の屋根板１（以下、狭幅材という）とを用意し、これら２種類の屋根板１を組み合わせ、広幅材と狭幅材との長さの差によって最大限狭幅材の長さの１／２の幅調節を行えば、屋根板１の合計長さと屋根下地の長さとの誤差は、棟部材４による調節可能幅より小さくなる。これにより、規格品の屋根板１を用いてどの様な長さの屋根をも仕上げることができ、最上段の屋根板１に加工を施す必要も無くなり、経済性、施工性、生産性、美観性が優れたものとなる。
【００４６】
なお、屋根板１の勾配方向の長さは、あまり大きくすると、製造が困難で製造コストが上昇するばかりか、取扱いが難しく、美観にも問題が生じ、また、あまり小さくすると、使用枚数が増えて施工コストが増大すると共に、流通段階における管理が面倒であるため、重なり部分の幅を除いた有効長さを１８０ｍｍ以上３５０ｍｍ以下とするのが適当である。
【００４７】
次に、具体的な実例をあげて、勾配方向の誤差調整について説明する。
屋根下地の勾配方向の長さは家屋の間口、傾斜角度、軒の張り出し寸法によって異なる。これらの関係を表１に示す。
【００４８】
【表１】
0003589364.tif 000002
図３２において、Ａは棟部材４の幅、ＢはＡから係合屈曲部６１の幅Ｅ及び支脚６３の幅Ｄを引いた内部空間幅、Ｆは屋根板１の係止片１１の幅と固定片８の幅との合計、Ｊは狹幅材の重なり部分を除く勾配方向の有効長さ、Ｉは広幅材の有効長さ、Ｈは固定ボルト６８の屋根下地の片側に対する固定部分の幅を示す。
【００４９】
すると、棟部材４内での屋根板１の調節可能幅Ｍは、棟部材４の半部において
Ｍ＝Ｂ／２−２×（Ｆ＋Ｈ）と成り、
プラス方向及びマイナス方向の調整許容範囲Ｎは
Ｎ＝Ｍ／２となる。
【００５０】
また、図３１の（ロ）に示す標準取り付けとした時の、屋根の頂部から最上段の屋根板１の係止片１１の前端（最上段の屋根板１の有効長さの後端）までの距離をＲとすると、
Ｒ＝Ｈ＋Ｎ＋Ｆとなる。
【００５１】
従って、屋根板１を基準位置に取り付けた時の、軒から最上段の屋根板１までの有効長さの合計である基準長さＰは、屋根下地の勾配方向の長さから上記Ｒを差し引いた長さとなる。
そして、広幅材及び狭幅材の有効長さの総計と基準長さＰとの差が必要な調整幅となり、これが棟部材４における調整許容範囲Ｎより小さい場合に敷設可能である。
【００５２】
実例として、Ｉが３５０ｍｍの広幅材と、Ｊが３２０ｍｍの狹幅材と、Ａが３００ｍｍの棟部材４を用い、また、Ｅは５ｍｍ、Ｄは５ｍｍ、Ｆは２５ｍｍ、Ｈは１５ｍｍとする。
すると、この棟部材４においては、
Ｂ＝３００−（２×５＋２×５）＝２８０ｍｍ，Ｂ／２＝１４０ｍｍである。
【００５３】
調節可能幅Ｍは、上記式により、
１４０−（２５＋１５）＝１００ｍｍ  となり、
Ｎ＝１００／２＝５０ｍｍと成る。
また、Ｒ＝１５＋５０＋２５＝９０ｍｍと成る。
【００５４】
以上の条件で屋根下地の長さが２５００ｍｍの屋根を仕上げた時、３０００ｍｍの屋根を仕上げた時、３５００ｍｍの屋根を仕上げた時、４０００ｍｍの屋根を仕上げた時、４５００ｍｍの屋根を仕上げた時、５０００ｍｍの屋根を仕上げた時、５５００ｍｍの屋根を仕上げた時の敷設可能な組み合わせを、表２、表３、表４、表５表５、表６、表７及び表８にそれぞれ示す。
【００５５】
【表２】
0003589364.tif 000003
【００５６】
【表３】
0003589364.tif 000004
【００５７】
【表４】
0003589364.tif 000005
【００５８】
【表５】
0003589364.tif 000006
【００５９】
【表６】
0003589364.tif 000007
【００６０】
【表７】
0003589364.tif 000008
【００６１】
【表８】
0003589364.tif 000009
すなわち、以上の表に示された例では、プラス方向及びマイナス方向の調整幅が調整許容範囲Ｎ＝５０ｍｍより小さくなる。また、これらの表から、広幅材を狭幅材に１枚置き換えるごとに、屋根板１の有効長さの合計は広幅材と狭幅材の長さの差である３０ｍｍづつ変わることがわかる。
【００６２】
他の実例として、Ｉが２５０ｍｍの広幅材と、Ｊが２２５ｍｍの狹幅材と、先の実例と同様の棟部材４とを用いる。
棟部材４は変更されないので、調節可能幅Ｍ、調整許容範囲Ｎ及び屋根の頂部から最上段の屋根板１の係止片１１の前端までの距離Ｒは先の実例と同じ値である。
【００６３】
以上の条件で屋根下地の長さが２５００ｍｍの屋根を仕上げた時、３０００ｍｍの屋根を仕上げた時、３５００ｍｍの屋根を仕上げた時、４０００ｍｍの屋根を仕上げた時、４５００ｍｍの屋根を仕上げた時、５０００ｍｍの屋根を仕上げた時、５５００ｍｍの屋根を仕上げた時の敷設可能な組み合わせを、表９、表１０、表１１、表１２、表１３、表１４及び表１５にそれぞれ示す。
【００６４】
【表９】
0003589364.tif 000010
【００６５】
【表１０】
0003589364.tif 000011
【００６６】
【表１１】
0003589364.tif 000012
【００６７】
【表１２】
0003589364.tif 000013
【００６８】
【表１３】
0003589364.tif 000014
【００６９】
【表１４】
0003589364.tif 000015
【００７０】
【表１５】
0003589364.tif 000016
以上の表に示された例では、プラス方向及びマイナス方向の調整幅が調整許容範囲Ｎ＝５０ｍｍより小さくなる。また、この場合は、広幅材と狭幅材を１枚置き換えるごとに、屋根板１の有効長さの合計が２５ｍｍづつ変化する。
【００７１】
更に他の実例として、Ｉが２００ｍｍの広幅材と、Ｊが１８０ｍｍの狹幅材と、前の２例と同様の棟部材４を用いる。
従って、調節可能幅Ｍ、調整許容範囲Ｎ及び屋根の頂部から最上段の屋根板１の係止片１１の前端までの距離Ｒは先の実例と同じ値である。
【００７２】
以上の条件で屋根下地の長さが２５００ｍｍの屋根を仕上げた時、３０００ｍｍの屋根を仕上げた時、３５００ｍｍの屋根を仕上げた時、４０００ｍｍの屋根を仕上げた時、４５００ｍｍの屋根を仕上げた時、５０００ｍｍの屋根を仕上げた時、５５００ｍｍの屋根を仕上げた時の敷設可能な組み合わせを、表１６、表１７、表１８、表１９、表２０、表２１及び表２２にそれぞれ示す。
【００７３】
【表１６】
0003589364.tif 000017
【００７４】
【表１７】
0003589364.tif 000018
【００７５】
【表１８】
0003589364.tif 000019
【００７６】
【表１９】
0003589364.tif 000020
【００７７】
【表２０】
0003589364.tif 000021
【００７８】
【表２１】
0003589364.tif 000022
【００７９】
【表２２】
0003589364.tif 000023
以上の表に示された例では、プラス方向及びマイナス方向の調整幅が調整許容範囲Ｎ＝５０ｍｍより小さくなる。また、この時、広幅材と狭幅材を１枚置き換えるごとに、屋根板１の有効長さの合計が両者の長さの差である２０ｍｍづつ変化する。
【００８０】
なお、広幅材と狭幅材とを組合せる場合に、上記実例においては広幅材を基準としてこれに適宜枚数の狭幅材を組合わせたが、狭幅材を基準として組合せる方法もある。実際の施工では、これらの敷設可能な組み合わせの中から、使用枚数が少なくなるように、且つ誤差が小さくなるように選択して、工費が低廉となるようにすることが望ましい。
また、屋根板１の勾配方向の長さは、１８０〜３５０ｍｍの範囲であれば任意に変えることができる。
【００８１】
【発明の効果】
本発明の屋根葺きにおける長さ調節方法によれば、２種類の屋根板を適宜組み合わせるだけで、勾配方向の長さがどのような屋根であっても葺くことができ、屋根を葺き納めるために規格外の屋根板を製造したり、最上段の屋根板に切断、折り曲げ、溶接等の加工を施す必要がないので、屋根を低コストで効率良く仕上げることができる。
また、最上段の屋根板の寸法だけが他の屋根板と全く異なったり、別部材を継ぎ足した部分が外観に現れないので、体裁が良い。
【図面の簡単な説明】
【図１】本発明に係る屋根の要部斜視図
【図２】同上の全体斜視図
【図３】同上の軒部断面図
【図４】同上の棟部断面図
【図５】屋根板の斜視図
【図６】軒先部材の斜視図
【図７】軒部屋根板の取付け過程を示す断面図
【図８】左右に隣接する屋根板の接続部のキャップ装着前の斜視図
【図９】屋根板の接続部の熱膨脹による変化を示す要部平面図
【図１０】左右に隣接する屋根板の接続部の要部断面図
【図１１】外装版、捨板及びキャップの断面図
【図１２】キャップの分解斜視図
【図１３】キャップの装着方法を示す縦断面図とキャップ装着前の縦断面図
【図１４】屋根板の前後の接続部の断面図
【図１５】捨板を装着した一方の屋根板の要部斜視図
【図１６】捨板の斜視図
【図１７】先に敷設される屋根板の側端部裏面斜視図と断面図
【図１８】後から敷設される屋根板の側端部裏面斜視図
【図１９】屋根板の要部側面図
【図２０】接続部切欠用のガイドゲージの斜視図
【図２１】先に敷設される屋根板の加工方法を説明する斜視図
【図２２】後から敷設される屋根板の加工方法を説明する斜視図
【図２３】屋根板の横の接続過程の第１段階を示す側面図
【図２４】屋根板の横の接続過程の第２段階を示す斜視図
【図２５】屋根板の横の接続過程の第３段階を示す斜視図
【図２６】屋根板の横の接続過程の第４段階を示す斜視図
【図２７】棟部の断面図
【図２８】棟部材の斜視図
【図２９】棟連結部材の斜視図
【図３０】棟部材の連結途中の斜視図
【図３１】棟部分における長さ調節を示す断面図
【図３２】長さ調節の計算に必要な各部分の幅を説明する断面図
【符号の説明】
１  屋根板
１ａ  軒部屋根板
２  キャップ
３  ケラバ部材
４  棟部材
５  水切突条
６  捨板支持片
６´  捨板支持片
７  係合部
７´  切り欠き溝
８  固定片
８´  後部捨板支持片
９  固定孔
９´  固定切欠
１０  凹条連結部
１１  係止片
１２  防水突条
１３  軒先部材係止フィン
１４  軒先部材
１５  化粧面
１６  取り付け片
１７  フランジ
１８，１８ａ，１８ｂ  固定金具
１９  帯板
２０  回動湾曲部
２１  係止突条
２２  防水板
２２´  表面張力防止空間
２３，２３´  排水溝
２４  水返し壁
２５  防水壁
２６  第１切除部
２７  第２切除部
２８  第３切除部
３９  取り付け孔
４０  屋根板固定具
４１  取り付け平板
４１´  固定金具取付け孔
４２  円形突起部
４３  ボルト
４４  座金
４５  ナット
４６  捨板
４７  固定切欠用切除部
４８  位置決め垂下片
５７  棟連結部材
５８  棟端部部材
５９  冠部
６０  側壁
６１  係合屈曲部
６２  抑え係合片
６３  支脚
６４  ボルト固定溝
６５  棟部材係合部
６６  摺動係止部
６７  パッキング
６８  固定ボルト
７０  抜け止め座金
７２  回転係合片
７３  ガイドゲージ
７７  湾曲部
７８  屈曲溝
８３  切り欠き溝
【図１】
0003589364.tif 000024
【図２】
0003589364.tif 000025
【図３】
0003589364.tif 000026
【図４】
0003589364.tif 000027
【図５】
0003589364.tif 000028
【図６】
0003589364.tif 000029
【図７】
0003589364.tif 000030
【図８】
0003589364.tif 000031
【図９】
0003589364.tif 000032
【図１０】
0003589364.tif 000033
【図１１】
0003589364.tif 000034
【図１２】
0003589364.tif 000035
【図１３】
0003589364.tif 000036
【図１４】
0003589364.tif 000037
【図１５】
0003589364.tif 000038
【図１６】
0003589364.tif 000039
【図１７】
0003589364.tif 000040
【図１８】
0003589364.tif 000041
【図１９】
0003589364.tif 000042
【図２０】
0003589364.tif 000043
【図２１】
0003589364.tif 000044
【図２２】
0003589364.tif 000045
【図２３】
0003589364.tif 000046
【図２４】
0003589364.tif 000047
【図２５】
0003589364.tif 000048
【図２６】
0003589364.tif 000049
【図２７】
0003589364.tif 000050
【図２８】
0003589364.tif 000051
【図２９】
0003589364.tif 000052
【図３０】
0003589364.tif 000053
【図３１】
0003589364.tif 000054
【図３２】
0003589364.tif 000055